(57)【要約】【課題】腰部のひねり運動ができる自転車運動装置を提供する。【解決手段】本考案の腰部のひねり運動ができる自転車運動装置は、ペダル運動ユニット１、回転盤２、基台３及びカバー４とからなる。カバー４はペダル運動ユニット１の下段及び回転盤２上方外部を包囲し、ペダル運動ユニット１下方は回転盤２を結合し、この回転盤２下方には側枠部３１を有する基台３を連結し、且つ、回転盤２と側枠部３１とは同軸に嵌合され、基台３の中心軸部材３２の上端はベアリング３３を組付する。回転盤２の上端面には押し下げ可能なストッパー部材２１を設け、このストッパー部材２０を押し下げることで前記回転盤２の回動を制止する。回転盤２下方と基台３の側枠部の内方には、回転盤２の転動を円滑にする摩擦力低下機構を設けた構成とした。【選択図】図９
0003123821.tif 000002
【実用新案登録請求の範囲】
【請求項１】
腰部のひねり運動ができる自転車運動装置であって、ペダル運動ユニット、回転盤、基台及びカバーとからなり、
前記カバーは、ぺダル運動ユニットの下段及び前記回転盤上方外部を包囲してなり、
前記ペダル運動ユニット下方には前記回転盤を結合し、この回転盤下方には環状の突設部を有する前記基台を連結し、且つ、前記回転盤と前記突設部は同軸状に嵌合し、前記基台の中心軸部材の上端及び前記回転盤上面にベアリングを配設した構成を備え、
両足によりペダルの回動に伴う上下運動を作用させると共に、前記回転盤を時計回り或いは反時計回りに連動することで、前記ユニット使用者の下半身及び腰部のひねり運動が達成されることを特徴とする腰部のひねり運動ができる自転車運動装置。
【請求項２】
前記回転盤は３６０度水平に転動することを特徴とする請求項１に記載の腰部のひねり運動ができる自転車運動装置。
【請求項３】
前記回転盤上端面にストッパー部材を有し、このストッパー部材を押し下げることで、前記回転盤の転動を制止できることを特徴とする請求項１に記載の腰部のひねり運動ができる自転車運動装置。
【請求項４】
前記回転盤下方と前記基台の中間に、前記回転盤の転動を円滑にする摩擦力低下機構を設けたことを特徴とする請求項１に記載の腰部のひねり運動ができる自転車運動装置。
【請求項５】
前記摩擦力低下機構は、複数の環状の突設部及びリテーナを有し、各環状の突設部は、それぞれ前記基台の側枠内の水平面上及び前記回転盤の側枠内の水平下面に設けられ、前記リテーナは各環状の突設部に対応して等間隔で環状に配列された球体を配設してなり、前記球体の上下端面は、それぞれ、前記基台及び前記回転盤の環状の突設部の湾曲球面中に嵌入され、前記リテーナ表面は複数の扇形開孔を有し、前記ストッパー部材を押し下げるとき、前記ストッパー部材の下端部が前記リテーナの開孔箇所に嵌入して前記基台底面に形成した定位孔に挿入されて、前記回転盤の転動を制止できるようにしたことを特徴とする請求項４に記載の腰部のひねり運動ができる自転車運動装置。
【考案の詳細な説明】
【技術分野】
【０００１】
本考案は、腰部のひねり運動ができる自転車運動装置に関するものであって、特に、両足でペダル運動ユニットのペダルの上下転動を作用させ、回転盤を時計回り、反時計回りに回動するようにした腰部のひねり運動ができる自転車運動装置に関するものである。
【背景技術】
【０００２】
現在市販されている腰部ひねり運動の可能な自転車運動装置では、ペダル運動ユニット下方に凹型円盤を連結し、且つ、ペダル運動ユニット下段と凹型円盤上方をカバーで覆われたものが提供されている。しかるに、ペダル運動ユニットのペダルが使用者により回動された時、凹型円盤が床を摩擦して水平方向の滑動が発生する。
【０００３】
また、このような従来の腰部のひねり運動ができる自転車運動装置では、凹型円盤が床を摩擦して水平方向に滑動した時に、使用者は恐怖感を感じる上、床を傷つけるという問題もある。
【考案の開示】
【考案が解決しようとする課題】
【０００４】
本考案は、両足でペダル運動ユニットのペダルの上下転動を作用させ、回転盤を時計回り、反時計回りに回動する腰部のひねり運動ができる自転車運動装置を提供することを目的とする。
【課題を解決するための手段】
【０００５】
本考案の請求項１に係る腰部のひねり運動ができる自転車運動装置は、ペダル運動ユニット、回転盤、基台及びカバーとからなり、前記カバーは前記ぺダル運動ユニットの下段及び前記回転盤上方外部を包囲してなり、前記ペダル運動ユニット下方には前記回転盤を結合し、この回転盤下方には環状の突設部を有する前記基台を連結し、且つ、前記回転盤と前記突設部は同軸状に嵌合し、前記基台の中心軸部材の上端及び前記回転盤上面にベアリングを配設した構成を備え、両足によりペダルの回動に伴う上下運動を作用させると共に、前記回転盤を時計回り或いは反時計回りに連動することで、前記ユニット使用者の下半身及び腰部のひねり運動が達成されることを特徴とする。
請求項２の考案は、請求項１に記載の腰部のひねり運動ができる自転車運動装置において、前記回転盤は３６０度水平に転動することを特徴とする。
請求項３の考案は、請求項１に記載の腰部のひねり運動ができる自転車運動装置において、前記回転盤上端面にストッパー部材を有し、このストッパー部材を押し下げることで、前記回転盤の転動を制止できることを特徴とする。
請求項４の考案は、請求項１に記載の腰部のひねり運動ができる自転車運動装置において、前記回転盤下方と前記基台の中間に、前記回転盤の転動を円滑にする摩擦力低下機構を設けたことを特徴とする。
請求項５の考案は、請求項４に記載の腰部のひねり運動ができる自転車運動装置において、前記摩擦力低下機構は、複数の環状の突設部及びリテーナを有し、各環状の突設部は、それぞれ前記基台の側枠内の水平面上及び前記回転盤の側枠内の水平下面に設けられ、前記リテーナは各環状の突設部に対応して等間隔で環状に配列された球体を配設してなり、前記球体の上下端面は、それぞれ、前記基台及び前記回転盤の環状の突設部の湾曲球面中に嵌入され、前記リテーナ表面は複数の扇形開孔を有し、前記ストッパー部材を押し下げるとき、前記ストッパー部材の下端部が前記リテーナの開孔箇所に嵌入して前記基台底面に形成した定位孔に挿入されて、前記回転盤の転動を制止できるようにしたことを特徴とする。
【考案の効果】
【０００６】
本考案は、公知技術の欠点が改善される腰部のひねり運動ができる自転車運動装置が提供される。
本考案の腰部のひねり運動ができる自転車運動装置は、基台３の中心軸３２上端に、ベアリング３３を組み込み、回転盤２強度と転動安定性を増加させることができる。
本考案の腰部のひねり運動ができる自転車運動装置は、回転盤２上端面に設置されたストッパー部材２１を押し下げることで、回転盤２の水平方向転動を制止でき、使用者がペダル足漕ぎ運動だけしたいとき、ストッパー部材２１を押せば、回転盤２の転動を制止して、腰部運動を停止できる。
本考案の腰部のひねり運動ができる自転車運動装置は、回転盤２下方と基台３の突設部３１中間に、回転盤２の転動を円滑にする摩擦力低下部品を設け、回転盤が３６０度水平に転動するとき、省力で、ペダル運動ユニット１の転動と使用者の腰部ひねりが連動できる。
【考案を実施するための最良の形態】
【０００７】
以下、この考案を実施するための最良の形態について図面を基に説明する。
【実施例】
【０００８】
本考案の腰部のひねり運動ができる自転車運動装置は、図１〜図３で示されるように、ペダル運動ユニット１、回転盤２、基台３、及びカバー４とからなる。
【０００９】
カバー４は、図８の２点鎖線で示すように、ペダル運動ユニット１の下段及び回転盤２上方外部を包囲し、ペダル運動ユニット１の下方は３６０度水平方向に転動する下向き環状の突設部２０を有する回転盤２を結合し、この回転盤２下方には前記下向き突設部２０と対応する位置に設けられた上向き突設部３１１を有する基台３を連結し、且つ回転盤２の側枠部と基台３の側枠部３１とが同軸状になるように配置されている。
【００１０】
図８及び図９に示すように、基台３上面の中央には中心軸部材３２立設され、前記回転盤２の中央孔を貫通し、中心軸部材３２の上端と回転盤２の上方にはベアリング３３が配設される。
【００１１】
前記回転盤２の上端面には押し下げるによって回転盤２の転動を制止するストッパー部材２１を有し、このストッパー部材２１を押し下げることで、回転盤２の転動を制止するようになっている。
【００１２】
回転盤２と基台３の側周部にはそれぞれ側枠部３１が形成され、内方中間部にはそれぞれ下向き環状の突設部２０及び上向き環状の突設部３１１が対応して形成されており、図８及び図９で示されるように、各突設部２０、３１１の端部には湾曲球面が形成され、リテーナａの開孔に配設された転動用の球体ａ１が設置され、回転盤２の転動を円滑にする摩擦力低下機構が設けられている。
【００１３】
この摩擦力低下機構は、図１０で示されるように、前記突設部３１１、２０及びリテーナａを有し、各突設部３１１、２０は、それぞれ、基台３の側枠部３１内の水平面上及び回転盤２の水平下面に成形され、リテーナａは各突設部３１１、２０に対応して等間隔で環状に配列された球体ａ１を枢設し、且つ、各球体ａ１の上下端は、それぞれ、基台３及び回転盤２の各突設部３１１、２０の湾曲球面３１１１、２０１内に設置される。
【００１４】
前記リテーナａの表面は複数の扇形状の開孔ａ２が設けられ、ストッパー部材２１を押し下げるとき、図９で示されるように、ストッパー部材２１下端はリテーナａの任意の開孔ａ２を貫通し、基台３の定位孔３４と嵌合して、回転盤２の転動を制止する。
【００１５】
図９−１、図９−２で示されるように、ストッパー部材２１は、組み付け座２１１、操作杆２１２及びコイルばねなどの弾性部材２１３から構成される。  
前記組み付け座２１１は、回転盤２の上端面に固設され、内部中空筒体の上段部には内壁面に沿った凹溝部２１１１を設け、且つ、ほぼ中央部には開孔を有する中仕切り部が設けられており、前記操作杆２１２の下端部が貫通すると共に、上端部の太径段差部が係止されるようになっている。また、下段部には弾性部材２１３を収容する大径の収容部２１１２が形成されている。
【００１６】
前記操作杆２１２の長さは、組み付け座２１１上方に突出する長さで、前記組み付け座２１１に挿入される。そして、前記操作杆２１２の上端太径部には前記組み付け座２１１の上段部に形成した凹溝部２１１１に対応する凸状部２１２１が軸方向に沿って形成され、且つ、操作杆２１２下段に制限リング２１２２を有する。弾性部材２１３は操作杆２１２の制限リング２１２２上方と組み付け座２１１の収容部２１１２に配設される。
【００１７】
前記操作杆２１２が上昇し、且つ、凸状部２１２１が凹溝部２１１１を離脱する時、操作杆２１２は約９０度の回転可能とし、操作杆２１２は組み付け座２１１上方で定位し、この時、操作杆２１２の下段は基台３の定位孔３４及び扇形開孔ａ２を離脱し、且つ回転盤２は任意に回転可能となる。
【００１８】
また、操作杆２１２を約９０度回転して前記凸状部２１２１を前記凹溝部２１１１に対応して操作杆２１２を下降させ、操作杆２１２が組み付け座２１１上方に固定された時、操作杆２１２の下端部は基台３の定位孔３４及び扇形開孔ａ２を貫通させることで回転盤２の回転を停止する。
【００１９】
本考案の腰部のひねり運動ができる自転車運動装置の使用は、図６及び図７で示されるように、ペダル運動ユニット１上方に乗った使用者は、両足によりペダルを回動させて、回転盤２を連動する。使用者が右足で右のペダルを漕ぐとき、回転盤２及びペダル運動ユニット１は、図６のように反時計回りに回動し、左足で左のペダルを漕ぐとき、回転盤２及びペダル運動ユニット１は、図７のように時計回りに回動する。
【００２０】
回転盤２が転動しペダル運動ユニット１を転動させる時、使用者の下半身は、ユニット１の転動により回動し、腰部をひねる運動が達成される。
【００２１】
本考案の長所は以下の通りである。
・  本考案の腰部のひねり運動ができる自転車運動装置は、構造特徴と技術内容が新規である。
・  本考案の腰部のひねり運動ができる自転車運動装置は、基台３の中心軸３２上端に、ベアリング３３を組み込み、回転盤２強度と転動安定性を増加させることができる。
・  本考案の腰部のひねり運動ができる自転車運動装置は、回転盤２上端面に設置されたストッパー部材２１が押し下げると回転盤２の水平方向転動を制止でき、使用者がペダル足漕ぎ運動だけしたいとき、ストッパー部材２１を押せば、回転盤２の転動を制止して、腰部運動を停止できる。
・  本考案の腰部のひねり運動ができる自転車運動装置は、回転盤２下方と基台３の突設部３１中間に、回転盤２の転動を円滑にする摩擦力低下部品を設け、回転盤が３６０度水平に転動するとき、省力で、ペダル運動ユニット１の転動と使用者の腰部ひねりが連動できる。
・  本考案の腰部のひねり運動ができる自転車運動装置は、使用者の腰部ひねりを連動する効果が確実で、新規性と産業利用性がある運動装置である。
【００２２】
本考案では好ましい実施例を前述の通り開示したが、これらは決して本考案に限定するものではなく、当該技術を熟知する者なら誰でも、本考案の精神と領域を脱しない範囲内で各種の変更や修正を加えることができ、従って本考案明の保護範囲は、実用新案登録請求の範囲で指定した内容を基準とする。
【図面の簡単な説明】
【００２３】
【図１】本考案の腰部のひねり運動ができる自転車運動装置の実施例を示す左前方から見た斜視図である。
【図２】本考案の腰部のひねり運動ができる自転車運動装置の実施例を示す左後方から見た斜視図である。
【図３】本考案の腰部のひねり運動ができる自転車運動装置の実施例を示す右後方から見た斜視図である。
【図４】本考案の腰部のひねり運動ができる自転車運動装置の実施例を示す図３のＡ方向から見た側図である。  Ａ図である。
【図５】本考案の腰部のひねり運動ができる自転車運動装置の実施例を示す図３のＢ方向から見た正面図である。
【図６】本考案の腰部のひねり運動ができる自転車運動装置の反時計回りの転動状態を示す斜視図である。
【図７】本考案の腰部のひねり運動ができる自転車運動装置の時計回りの転動状態を示す斜視図である。
【図８】本考案の腰部のひねり運動ができる自転車運動装置のカバーを装着した状態の正面図である。
【図９】本考案の腰部のひねり運動ができる自転車運動装置の実施例における回転盤と基台の構造詳細図である。
【図９−１】本考案のストッパー部の上昇の詳細図である。
【図９−２】本考案のストッパー部の下降の詳細図である。
【図１０】本考案の腰部のひねり運動ができる自転車運動装置の回転盤と基台構造の分解図である。
【符号の説明】
【００２４】
１        ペダル運動ユニット
２        回転盤
２０      環状の突設部
２０１    湾曲球面
２１      ストッパー部材
２１１    組み付け座
２１１１  凹溝部
２１１２  収容部
２１２    操作杆
２１２１  凸状部
２１２２  制限リング
２１３    弾性部材
３        基台
３１      側枠部
３１１    環状の突設部
３１１１  湾曲球面
３２      中心軸部材
３３      ベアリング
３４      定位孔
４        カバー
ａ        リテーナ
ａ１      球体
ａ２      開孔
【図１】
0003123821.tif 000003
【図２】
0003123821.tif 000004
【図３】
0003123821.tif 000005
【図４】
0003123821.tif 000006
【図５】
0003123821.tif 000007
【図６】
0003123821.tif 000008
【図７】
0003123821.tif 000009
【図８】
0003123821.tif 000010
【図９】
0003123821.tif 000011
【図９−１】
0003123821.tif 000012
【図９−２】
0003123821.tif 000013
【図１０】
0003123821.tif 000014